(57)【要約】【課題】本発明は、簡単な構造でコンパクトに分電盤１のキャビネットに収納できると共に、結線等の作業の際には作業スペースを確保できる分電盤１の充電部支持台５を提供することを目的としている。、【解決手段】本発明に係る分電盤１の充電部支持台５の構造は、導電バー２一本を一つの充電部支持台５に配置し、導電バー２の本数に対応して充電部支持台５を積み重ねて導電バー２を配置することであり、分電盤１内において省スペースを図ることができる。【選択図】図１
2007209065.tif 000002
【特許請求の範囲】
【請求項１】
主幹ブレーカや分岐ブレーカ等の電気機器を配置し、該電気機器を導電バーや電線等で接続して構成される分電盤の充電部支持台であって、前記導電バー一本を一つの充電部支持台に配置し、前記導電バーの本数に対応して前記充電部支持台を積み重ねて前記導電バーを配置することを特徴とする分電盤の充電部支持台。
【請求項２】
前記分電盤の充電部支持台であって、該充電部支持台の上面部には第一の係合体を、下面部には前記第一の係合体に対向する第二の係合体を設け、前記第一の係合体と第二の係合体を係合させ、前記充電部支持台を積み重ねると共に、それぞれの充電部支持台は摺動可能で結線等の作業の際には前記導電バー間の距離を開けたり、作業終了後には前記導電バー間の距離を縮めたりすることを特徴とする請求項１に記載の分電盤の充電部支持台。
【請求項３】
前記分電盤の充電部支持台であって、該充電部支持台の上面に充電部を保護するための保護板を取り付け可能としてことを特徴とする請求項１または請求項２に記載の分電盤の充電部支持台。
【発明の詳細な説明】
【技術分野】
【０００１】
本発明は、主幹ブレーカや分岐ブレーカ等の電気機器を配置し、電気機器を導電バーや電線等で接続して構成される分電盤の充電部支持台に関するものである。
【背景技術】
【０００２】
分電盤の充電部支持台３１は、充電部を構成する導電バー３２の数に合わせた支持部３３を形成しており、支持部３１に導電バー３２を載置しねじ止め等で固定していた。導電バー３２はそれぞれ高低差を設け横に配列することが多かった。
【０００３】
結線等の作業をするときは作業スペースが多く必要であるが、導電バー３２の配置される位置は固定されるため、小さなスペースで結線をしなくてはならず作業性が悪かった。
【０００４】
そこで、特許第３６６３９１０号公報に示すような分電盤が用いられていた。
【特許文献１】特許第３６６３９１０号公報
【非特許文献１】２００５  カワムラ  総合カタログ  電設資材編  平成１７年５月１日発行
【発明の開示】
【発明が解決しようとする課題】
【０００５】
しかしながら、上記分電盤では、導電バーは横に並列に配置するため、分電盤の幅が広く必要となり、分電盤を構成するキャビネットが大きくなってしまい、設置場所も制約されると共に、価格も上がってしまうという欠点があった。
【課題を解決するための手段】
【０００６】
そこで本発明は、簡単な構造でコンパクトに分電盤のキャビネットに収納できると共に、結線等の作業の際には作業スペースを確保できる分電盤の充電部支持台を提供することを目的とし、その構造は、導電バー一本を一つの充電部支持台に配置し、導電バーの本数に対応して充電部支持台を積み重ねて導電バーを配置することを特徴とする。
【０００７】
また、充電部支持台の上面部には第一の係合体を、下面部には前記第一の係合体に対向する第二の係合体を設け、第一の係合体と第二の係合体を係合させ、充電部支持台を積み重ねると共に、それぞれの充電部支持台は摺動可能で結線等の作業の際には導電バー間の距離を開けたり、作業終了後には導電バー間の距離を縮めたりすることを特徴とする。
【０００８】
また、充電部支持台の上面に充電部を保護するための保護板を取り付け可能とすることを特徴とする。
【発明の効果】
【０００９】
本発明に係る分電盤の充電部支持台は、導電バー一本を一つの充電部支持台に配置し、導電バーの本数に対応して充電部支持台を積み重ねて導電バーを配置するため、導電バーの数に合わせて充電部支持台が使われるため、充電部支持台の配置に必要なスペースを最低限に抑えることができる。
【００１０】
また、充電部支持台の上面部には第一の係合体を、下面部には前記第一の係合体に対向する第二の係合体を設け、第一の係合体と第二の係合体を係合させ、充電部支持台を積み重ねると共に、それぞれの充電部支持台は摺動可能で結線等の作業の際には導電バー間の距離を開けたり、作業終了後には導電バー間の距離を縮めたりするため、分電盤のキャビネットに収納する際にはコンパクトに収まると共に、結線、確認、増設等の作業の時には、作業スペースを広げ作業性を向上させることができる。
【００１１】
また、充電部支持台の上面に充電部を保護するための保護板を取り付け可能とした誤って充電部に触れてしまったりする事故を低減でき、安全な分電盤を提供することができる。
【発明を実施するための最良の形態】
【００１２】
分電盤における導電バーの配置スペースを少なくし、結線や改造、保守というような作業を容易にするという目的を、最小の部品点数で、作業の効率を損なわずに実現した。
【実施例１】
【００１３】
本発明に係る分電盤の充電部支持台の実施例を図１〜図４の添付図面に基づいて説明する。
【００１４】
分電盤１は、主幹ブレーカや分岐ブレーカ等の電気機器を配列し、導電バー２や電線３等でこれらの電気機器を結線して構成される。本発明は複数の導電バー２により構成される充電部４を支持する充電部支持台５に関する。
【００１５】
導電バー２、一本に付き一個の充電部支持台５を用いる。組み付けられる導電バー２の数に対応させて充電部支持台５の数を調節する。充電部支持台５は積み重ねて分電盤１のキャビネットに収納するため、省スペースとなる。最下に設置される充電部支持台５には、固定部６を設け、キャビネットの底面にねじ締め等により固定する。
【実施例２】
【００１６】
充電部支持台５の構造は、上面に導電バー２を支持する支持部７を設け、支持部７には固定穴を設け、支持部７に載せた導電バー２を固定ねじ８により充電部支持台５に固定する。また、充電部支持台５の上面には、第一の係合体を形成し、下面には第一の係合体に対向する第二の係合体を形成する。側面側から第二の係合体に第一の係合体を係合させて、充電部支持台５を積み重ねる。
【００１７】
図に示すように第一の係合体をレール９とし、第二の係合体をレール９に対向する溝１０とする。レール９を溝１０に係合させ、充電部支持台５は他の充電部支持台５の上をスライド可能とする。スライド動作により充電部支持台５の固定位置を変更することができ、充電部４を構成する導電バー２間の距離を広げたり、縮めたりすることが可能である。具体的には、結線、確認、増設等の作業時には、作業スペースを導電バー２付近に多くとりたいため、充電部支持台５をずらして例えば階段状に積み重ねる。作業が終わった時にはスライド動作により、充電部支持台５の範囲内において任意の位置で固定する。分電盤内では充電部４をコンパクトに配置することができる。
【００１８】
図２においては、充電部支持台５を真上に積み上げた図である。分電盤１のキャビネットの内部では、充電部４を省スペースに収めることができる。また、図３においては、充電部支持台５を少しずつずらして積み重ねている。充電部４から発せられる熱を放出することを考慮した場合、導電バー２間に距離を持たせて効率よく放熱できるようにしている。
【実施例３】
【００１９】
また、充電部支持台５の上面にはねじ穴１１を設ける。このねじ穴１１には保護板１２が取り付け可能であり。保護板１２を取り付けることにより、充電部４への塵埃等異物の侵入や、誤って手で触れてしまうという事故を防ぐことができる。
【実施例４】
【００２０】
充電部支持台のスライド構造は、図１に示す形状に限定されるものではなく、例えば、図４に示すように、第一の係合体を突起体１３とし、第二の係合体を係合穴１４とし、係合穴１４の範囲において充電部支持台１５は任意の位置に固定することができる。
【産業上の利用可能性】
【００２１】
本発明に係る充電部支持台は、導電バーの本数に合わせて使用する個数が変更でき、充電部支持台の設置面積も最低限に抑えることができる。
【００２２】
充電部支持台は、スライド動作できるので、作業時、収納時と用途に合わせて導電バー間の距離を変更でき、作業者が作業しやすく、省スペースに収納したいという二つの要請に適応できる。
【００２３】
充電部支持台は、充電部を被覆する保護板も取り付け可能であるため、安全な分電盤を提供する。
【図面の簡単な説明】
【００２４】
【図１】本発明に係る分電盤の充電部支持台を示す説明図である。（実施例１、実施例２、実施例３）
【図２】本発明に係る分電盤の充電部支持台を示す説明図である。（実施例１、実施例２、実施例３）
【図３】本発明に係る分電盤の充電部支持台を示す説明図である。（実施例１、実施例２、実施例３）
【図４】本発明に係る分電盤の充電部支持台の変形実施例を示す説明図である。（実施例１、実施例２、実施例３）
【図５】従来の分電盤の充電部支持台を示す説明図である。
【符号の説明】
【００２５】
１    分電盤
２    導電バー
３    電線
４    充電部
５    充電部支持台
６    固定部
７    支持部
８    固定ねじ
９    レール
１０  溝
１１  ねじ穴
１２  保護板
１３  突起体
１４  係合穴
１５  充電部支持台
【図１】
2007209065.tif 000003
【図２】
2007209065.tif 000004
【図３】
2007209065.tif 000005
【図４】
2007209065.tif 000006
【図５】
2007209065.tif 000007